(57)【特許請求の範囲】
【請求項１】
穀類を選別するための多数の選別孔を有する円筒状の選別筒体において、
選別筒体は、多数の選別孔を穿設した板体の相対する側端部のうち、一方の側端部に径方向外方へ屈曲したのち周方向へ屈曲した一方の段差部を設け、他方の側端部に径方向内方へ屈曲したのち周方向へ屈曲した他方の段差部を設けておき、板体を円筒状に湾曲させて一方の段差部と他方の段差部とを重ね合わせて側端部をスポット溶接により接合したこと、を特徴とする縦型回転穀類選別機の選別筒体。
【請求項２】
穀類を選別するための多数の選別孔を有する円筒状の選別筒体において、
選別筒体は、多数の選別孔を穿設した一方の半円筒状の板体の相対する側端部にそれぞれ径方向外方へ屈曲したのち周方向へ屈曲した段差部を設け、多数の選別孔を穿設した他方の半円筒状の板体の相対する側端部にそれぞれ径方向内方へ屈曲したのち周方向へ屈曲した段差部を設けておき、一方の半円筒状の板体の段差部と他方の半円筒状の板体の段差部とを重ね合わせて両側端部をそれぞれスポット溶接により接合したこと、を特徴とする縦型回転穀類選別機の選別筒体。
【発明の詳細な説明】
【０００１】
【発明の属する技術分野】
本発明は、多数の選別孔を穿設した選別筒体を用いて、穀類を揚穀しながら穀類を整粒と細粒や屑粒とに選別する縦型回転穀類選別機における選別筒体に関するものである。
【０００２】
【従来の技術】
従来の一般的な縦型回転穀類選別機は、図３および図４に示すように、周壁に周方向および軸方向に所定の間隔をもって多数の選別孔１１２を穿設して円筒状に形成された選別筒体１１１と、この選別筒体１１１の内部に回転自在に配設されて螺旋状翼体１１５ａを有する揚穀螺旋筒１１５とを互いに逆方向へ回転しうるように外殻体１１６の内部に立設し、駆動源１１９により両者を逆方向にそれぞれ回転させるように構成されている。ホッパ１１７から供給された穀粒は、揚穀螺旋筒１１５の螺旋状翼体１１５ａの回転により上方へ揚穀されるとともに遠心力が付与され、この遠心力によってはね飛ばされた穀粒は選別筒体１１１の内周壁に当たり、選別筒体１１１の選別孔１１２よりも小径の穀粒は細粒あるいは屑粒として選別筒体１１１外へ放出される。また選別孔１１２を通過し得ない粒径を有する穀粒は整粒として揚穀され、選別筒体１１１の上方に設けられた放出口１１４より放出されて貯溜タンク１１８に貯溜されるとともに、前記細粒あるいは屑粒は外殻体１１６の下方部に設けられた排出口１２０から取り出されるように構成されている。
【０００３】
選別筒体１１１は、図４に示すように、多数の選別孔１１２を穿設した一対の板体１１１ａ、１１１ｂをそれぞれ半円筒状に湾曲させて、この一対の板体１１１ａ、１１１ｂのそれぞれの両端部分１１３ａ、１１３ａと１１３ｂ、１１３ｂをそれぞれ内外に重ね合わせて接合することにより円筒状に形成されている。あるいはまた、多数の選別孔を穿設した一枚の板体を円筒状に巻いてその両端部分を内外に重ね合わせて接合することにより形成されている。さらに、選別筒体には、図４に示す型式のものの他にも、その周壁に環状の穀粒誘導溝を軸方向に複数個設け、各穀粒誘導溝の頂壁部に所定の間隔をもって穀粒を選別するための多数の選別孔を配列したものも用いられている。そして、これらのいずれにおいても、円筒形状に製作する際の重ね合わせた端部分の接合は、図４に示すように、軸方向に所定の間隔をもって離間した複数の箇所でスポット溶接ｗをすることにより行なわれている。
【０００４】
【発明が解決しようとする課題】
ところで、縦型回転穀類選別機の選別筒体は、穀類の選別効率を向上させるために選別孔の開口率を大きくすることが好ましく、選別孔は板体の重ね合わせて接合する端部分に極く接近した位置にも穿設されている。そのために、重ね合わせて接合する端部分のスポット溶接する箇所に隣接して位置する選別孔においては、スポット溶接による局部的な急加熱や急冷の影響を受け、板体の熱膨張や熱収縮等により変形をきたすことがあった。すなわち、図５の（ａ）および（ｂ）に示すように、選別筒体１１１を構成する板体１１１ａ、１１１ｂのそれぞれの端部分１１３ａ、１１３ｂを重ね合わせてスポット溶接ｗする際に、その溶接領域に最も隣接して位置する選別孔１１２ｘおよび１１２ｘは、スポット溶接に基づく局部的な急加熱、急冷による板体の熱膨張や熱収縮の影響を受け、図５の（ｂ）に一点鎖線で示すように、変形して選別孔の目幅が縮小し狭くなる傾向にあり、また、選別孔１１２ｘ、１１２ｘの両側に位置する選別孔１１２ｙ、１１２ｙ……においては逆に目幅が拡張して大きくなる傾向が見られ、選別孔の目幅に変化が生じるケースが多々あった。
【０００５】
このように選別孔の目幅に不均一が生じた選別筒体を用いて穀類の選別を行なうと、例えば図５の（ｂ）における１１２ｙ、１１２ｙ……等のように目幅の大きくなった選別孔から所定の粒径を有する整粒が放出されて細粒や屑粒の中に混入してしまい、精度の良い穀類の選別を行なうことができなかった。
【０００６】
そこで、本発明は、上述の従来技術の有する問題点に鑑みてなされたものであって、縦型回転穀類選別機の選別筒体において、その製作時のスポット溶接による急加熱や急冷による板体の熱膨張や熱収縮の選別孔に対する影響を排除して、精度が良くかつ信頼性の高い穀類の選別を行なうことができる選別筒体を提供することを目的とするものである。
【０００７】
【課題を解決するための手段】
上記目的を達成するため、本発明の縦型回転穀類選別機の選別筒体は、穀類を選別するための多数の選別孔を有する円筒状の選別筒体において、選別筒体は、多数の選別孔を穿設した板体の相対する側端部のうち、一方の側端部に径方向外方へ屈曲したのち周方向へ屈曲した一方の段差部を設け、他方の側端部に径方向内方へ屈曲したのち周方向へ屈曲した他方の段差部を設けておき、板体を円筒状に湾曲させて一方の段差部と他方の段差部とを重ね合わせて側端部をスポット溶接により接合したこと、を特徴とする。
【０００８】
また、本発明の縦型回転穀類選別機の選別筒体は、穀類を選別するための多数の選別孔を有する円筒状の選別筒体において、選別筒体は、多数の選別孔を穿設した一方の半円筒状の板体の相対する側端部にそれぞれ径方向外方へ屈曲したのち周方向へ屈曲した段差部を設け、多数の選別孔を穿設した他方の半円筒状の板体の相対する側端部にそれぞれ径方向内方へ屈曲したのち周方向へ屈曲した段差部を設けておき、一方の半円筒状の板体の段差部と他方の半円筒状の板体の段差部とを重ね合わせて両側端部をそれぞれスポット溶接により接合したこと、を特徴とするものでもよい。
【００１０】
【作用】
縦型回転穀類選別機の選別筒体において、多数の選別孔を穿設した板体を円筒状に湾曲させて、板体の一方の段差部と他方の段差部とを重ね合わせて側端部をスポット溶接により接合したことにより、スポット溶接による局部的な急加熱や急冷の影響を径方向へ屈曲したのち周方向へ屈曲した段差部で吸収することができる。その結果、スポット溶接領域に隣接して位置する選別孔はスポット溶接による急加熱や急冷による板体の熱膨張や熱収縮の影響を受けることがなくなる。それ故に、選別孔の目幅に縮小や拡張等の変化をおこすことがなく、選別孔の均一性を維持することができるので、精度が良くかつ信頼性の高い穀類の選別を行なうことができる。
【００１１】
【発明の実施の形態】
本発明の実施の形態を図面に基づいて説明する。
【００１２】
図１は、本発明に係る縦型回転穀類選別機の選別筒体の一実施例を示し、（ａ）は選別筒体の模式的な斜視図であり、（ｂ）は選別筒体の接合部分を拡大して示す部分断面図である。
【００１３】
図１において、選別筒体１は、多数の細長形状の選別孔２、２…が周方向および軸方向に並列して穿設された一対の半円筒状の板体１ａ、１ｂからなる。これらの一対の半円筒状の板体１ａ、１ｂのそれぞれの相対する側端部である端部分４ａ、５ａおよび４ｂ、５ｂにおいて、一方の板体１ａの端部分４ａと他方の板体１ｂの端部分５ｂおよび一方の板体１ａの端部分５ａと他方の板体１ｂの端部分４ｂをそれぞれ内外に重ね合わせて接合することにより円筒状に形成されている。
なお、選別孔２、２…は全て所定の大きさの目幅、すなわち、所定の粒径以上の粒径を有する穀粒は通過させないが、所定の粒径よりも小さい細粒あるいは屑粒等は通過させる大きさに設定されている。そして、選別孔２の形状や大きさは、穀類の種類や選別される穀類の消費用途などに適応するように適宜設定することができる。
【００１４】
半円筒状の板体１ａ、１ｂのそれぞれの側端部である端部分４ａ、５ａおよび４ｂ、５ｂには、それぞれの端縁から重ね合わせる幅をおいた箇所に沿って径方向に略９０度の角度で屈曲したのち周方向へ屈曲した段差部である段差６（６ｏ、６ｉ）が設けられている。すなわち、図１の（ｂ）において、一方の板体１ａの一端部分４ａは、その端縁から重ね合わせる幅ｌをおいた箇所で径方向外方（図１の（ｂ）においては下方）へ向けて段押し等の手段により略９０度の角度で屈曲されて段差６ｏ（板体１ａの本体部分から径方向外方へ略９０度の角度に屈曲され、さらに略９０度周方向に向けて屈曲された形状）が設けられている。他方の板体１ｂの他端部分５ｂも同様にその端縁から重ね合わせる幅ｌをおいた箇所で径方向内方（図１の（ｂ）においては上方）へ向けて段押し等の手段により略９０度の角度で屈曲されて段差６ｉが設けられている。また、一方の板体１ａの他端部分５ａと他方の板体１ｂの他端部分４ｂも同様にそれぞれ段差６（６ｉ、６ｏ）が設けられている。これらの半円筒状に湾曲された一対の板体１ａ、１ｂを、段差６の部分で係合させて端部分を重ね合わせ、すなわち、半円筒状の一方の板体１ａの外方への段差６ｏが設けられた端部分４ａに他方の板体１ｂの内方への段差６ｉが付けられた端部分５ｂを、そして一方の板体１ａの内方への段差６ｉが設けられた端部分５ａに他方の板体１ｂの外方への段差６ｏが付けられた端部分４ｂをそれぞれ重ね合わせ、これらの重ね合わせた部分を軸方向に所定の間隔をもって離間した複数の箇所でスポット溶接ｗを行って接合している。
【００１５】
このように、側端部である端部分５ａ、５ｂを重ね合わせた部分をスポット溶接ｗをすることにより、スポット溶接による局部的な急加熱や急冷による板体の熱膨張や熱収縮の影響は、一対の板体１ａ、１ｂに径方向へ屈曲したのち周方向へ屈曲した段差６（６ｏ、６ｉ）の部分で吸収され、スポット溶接ｗの溶接領域に隣接して位置する選別孔２、２………まで及ぶことがなく、選別孔２、２………の目幅の収縮や拡張を生じさせることはない。すなわち、略９０度の角度で径方向外方あるいは径方向内方へ屈曲した段差６（６ｏ、６ｉ）の部分が、スポット溶接による局部的な急加熱や急冷による板体の熱膨張や熱収縮の影響を吸収して、選別孔２、２………に影響を及ぼすことを阻止することができる。
【００１６】
以上のように、選別筒体１を構成する一対の半円筒状の板体１ａ、１ｂの外方および内方への段差６ｏ、６ｉが設けられた端部分４、５を互いに内外に重ね合わせてスポット溶接することによって、スポット溶接による局部的な急加熱や急冷による板体の熱膨張や熱収縮の影響を略９０度の角度に径方向へ屈曲した段差６（６ｏ、６ｉ）が設けられている部分で吸収することができるために、溶接部分に隣接して位置する選別孔２、２……においてもその形状に変形をおこすことがなく、選別孔の目幅も所定の幅を維持することができ、変形をおこすことがない。したがって、従来の選別筒体においてスポット溶接により発生していた選別孔の目幅や大きさの不均一をなくすことができる。このように製作された選別筒体を図３に示すような縦型回転穀類選別機に組み込むことによって、精度が良くかつ信頼性の高い穀類の選別が可能となる。
【００１７】
図２は、選別筒体の一参考例を構成する板体の一部分の斜視図であり、円筒状としたときに軸方向に互いに間隔をおいて並列する複数の環状の穀粒誘導溝を構成する複数の溝１３、１３…を設け、これらの溝１３の頂壁部１３ａに複数の選別孔１２、１２…を周方向に互いに間隔をおいて穿設した板体１１を円筒形状として選別筒体を製作する型式のものを図示する。このような型式のものにおいても、板体１１の端部分１４において重ね合わせる部分で、端部分１４の端縁１４ａから所定の幅をおいた箇所に外方にまたは内方に向けて段差１６を設け、この段差１６を設けた端部分１４と、段差が同様に設けられた他の端部分とを互いに内外に重ね合わせてスポット溶接により接合して円筒形状の選別筒体を製作することによっても、上記の実施例と同様に、スポット溶接による局部的な急熱や急冷の影響を略９０度の角度で屈曲されている段差１６の部分で吸収することができ、選別孔１２、１２……へその影響を及ぼすことを阻止することができる。
【００１８】
【発明の効果】
本発明は、上述したように、縦型回転穀類選別機の選別筒体において、多数の選別孔を穿設した板体を円筒状に湾曲して一方の段差部と他方の段差部とを係合させることにより、側端部を重ね合わせて側端部をスポット溶接により接合している。その結果、スポット溶接による局部的な急加熱、急冷の影響を径方向へ屈曲したのち周方向へ屈曲した段差部で吸収することができ、スポット溶接領域に隣接して位置する選別孔はスポット溶接による局部的な急加熱、急冷による板体の熱膨張や熱収縮の影響を受けることがなくなる。それ故に選別孔の目幅に縮小や拡張等の形状の変化をおこすことがなく、選別孔の均一性を維持することができ、精度が良くかつ信頼性の高い穀類の選別を行なうことができる。
【図面の簡単な説明】
【図１】  本発明に係る縦型回転穀類選別機の選別筒体の一実施例を示し、（ａ）は選別筒体の模式的な斜視図であり、（ｂ）は選別筒体の接合部分を拡大して示す部分断面図である。
【図２】  選別筒体の一参考例を構成する板体の部分斜視図である。
【図３】  従来の縦型回転穀類選別機を概略的に示す断面図である。
【図４】  従来の選別筒体を示す模式的な斜視図である。
【図５】  （ａ）は従来の選別筒体を構成する板体の接合部分を示す模式的な斜視図であり、（ｂ）は接合部分のスポット溶接部に隣接して位置する選別孔におけるスポット溶接の影響を説明する説明図である。
【符号の説明】
ｗ    スポット溶接
１    選別筒体
１ａ、１ｂ    （半円筒状）板体
２    選別孔
４（４ａ、４ｂ）    端部分
５（５ａ、５ｂ）    端部分
６（６ｏ、６ｉ）    段差
１１    板体
１２    選別孔
１３    溝（穀粒誘導溝）
１４    端部分
１６    段差
１１１    選別筒体
１１１ａ、１１１ｂ    板体
１１２（１１２ｘ、１１２ｙ）    選別孔
１１３（１１３ａ、１１３ｂ）    端部分
１１５    揚穀螺旋筒
１１６    外殻体
【図１】
0003707907.tif 000002
【図２】
0003707907.tif 000003
【図３】
0003707907.tif 000004
【図４】
0003707907.tif 000005
【図５】
0003707907.tif 000006